(57)【要約】【課題】質の異なるストロボ光を選択的に発光可能な構成において、ユーザーの意図が反映されたストロボ撮影が可能となるカメラ装置、及びストロボ制御方法を提供する。【解決手段】カメラ本体に収容された収容状態と外部に露出する露出状態とに駆動可能なストロボ発光部と、ストロボ発光部が収容状態にあるとき発したストロボ光を被写体に向けて拡散し、リングストロボとして機能する拡散手段とを備え、ストロボ発光部を収容状態又は露出状態で発光させることにより質の異なるストロボ光を選択的に発光可能とする構成である。ストロボ撮影時には、フォーカスモードが近接撮影用のマクロモードであっても、ユーザーによりリングストロボがオンに設定されていれば（ＳＢ８で「オン」）、ストロボ発光部を収納状態で発光させ、それがオフに設定されていれば（ＳＢ８で「オフ」）、ストロボ発光部をポップアップし露出状態で発光させる。【選択図】      図４
2006084599.tif 000002
【特許請求の範囲】
【請求項１】
カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段とを備えたカメラ装置において、
マクロモードであるか否かを判断する判断手段と、
使用者が前記拡散手段の使用の可否を設定する設定手段と、
ストロボ光の発光時における前記ストロボ発光部の状態を、前記判断手段によるマクロモードであるか否かの判断結果、及び前記設定手段により設定されている拡散手段の使用の可否に基づき決定する決定手段と、
前記決定手段により決定された状態で前記ストロボ発光部を発光させる制御手段と
を備えたことを特徴とするカメラ装置。
【請求項２】
撮影モードを設定する撮影モード設定手段を備え、
前記判断手段は、前記撮影モード設定手段により設定された撮影モードが、所定距離よりも近い距離の被写体の撮影を目的として設けられているマクロモードであるか否かを判断することを特徴とする請求項１記載のカメラ装置。
【請求項３】
被写体距離を取得する取得手段を備え、
前記判断手段は、前記取得手段により取得された被写体距離が所定距離以下である場合にマクロモードであると判断することを特徴とする請求項１記載のカメラ装置。
【請求項４】
前記決定手段は、前記判断手段によりマクロモードであると判断され、かつ前記設定手段により拡散手段の使用が可能に設定されているとき、ストロボ光の発光時における前記ストロボ発光部の状態を収容状態と決定することを特徴とする請求項１、２又は３記載のカメラ装置。
【請求項５】
前記決定手段は、前記判断手段によりマクロモードであると判断され、かつ前記設定手段により拡散手段の使用が不可に設定されているとき、ストロボ光の発光時における前記ストロボ発光部の状態を露出状態と決定することを特徴とする請求項１乃至４いずれか記載のカメラ装置。
【請求項６】
前記決定手段は、前記設定手段により設定されている拡散手段の使用の可否に関わりなく、前記判断手段によりマクロモードでないと判断されたときには、ストロボ光の発光時における前記ストロボ発光部の状態を露出状態と決定することを特徴とする請求項１乃至５いずれか記載のカメラ装置。
【請求項７】
撮影操作、及びその撮影操作に先立つ撮影予備操作が可能な操作手段を備え、
前記決定手段は、前記操作手段による撮影予備操作に応じ、ストロボ光の発光時における前記ストロボ発光部の状態を決定し、
前記制御手段は、前記操作手段による撮影操作に応じ、前記ストロボ発光部を前記決定手段により決定された状態で発光させる
ことを特徴とする請求項１乃至６いずれか記載のカメラ装置。
【請求項８】
前記ストロボ発光部における、前記露出状態でのストロボ光の発光量と、前記収納状態でのストロボ光の発光量とを互いに異なる発光量に制御する発光量制御手段を備えたことを特徴とする請求項１乃至７いずれか記載のカメラ装置。
【請求項９】
カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段と、前記ストロボ発光部を前記いずれかの状態に駆動する駆動手段とを備えたカメラ装置におけるストロボ制御方法であって、
マクロモードであるか否かを判断する工程と、
ストロボ光の発光時における前記ストロボ発光部の状態を、マクロモードであるか否かの判断結果、及び使用者によって設定されている前記拡散手段の使用の可否に基づき決定する工程と、
決定した状態で前記ストロボ発光部を発光させる工程と
を含むことを特徴とするストロボ制御方法。
【請求項１０】
カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段と、前記ストロボ発光部を前記いずれかの状態に駆動する駆動手段とを備えたカメラ装置が有するコンピュータを、
マクロモードであるか否かを判断する判断手段と、
ストロボ光の発光時における前記ストロボ発光部の状態を、前記判断手段によるマクロモードであるか否かの判断結果、及び前記設定手段により設定されている拡散手段の使用の可否に基づき決定する決定手段と、
前記決定手段により決定された状態で前記ストロボ発光部を発光させる制御手段と
して機能させるためのプログラム。
【発明の詳細な説明】
【技術分野】
【０００１】
本発明は、質の異なるストロボ光を選択的に発光可能なカメラ装置、及びストロボ制御方法に関するものである。
【背景技術】
【０００２】
従来、デジタルカメラ等のカメラ装置においてはストロボ装置（閃光装置）が内蔵されたものが一般的である。内蔵ストロボには、発光部を露出させた状態でカメラ本体に固定的に設けられた固定型のものと、発光部がカメラ本体の内部に収容された収容状態（非露出状態）と、発光部が露出するポップアップ（露出状態）とに回動するポップアップ型のもの等がある。また、カメラ装置に用いられるストロボ装置にはリングストロボと呼ばれるものがある。リングストロボは撮影レンズの外周部を一周するような発光体を有するものであり、一般に極近接する被写体を撮影するとき、発光部の位置が撮影レンズに対してオフセットしていることに起因して生ずるケラレの発生や、被写体に対するストロボ光（撮影補助光）の照射量の偏りを防止することを目的として使用されるものである。
【０００３】
さらに、下記の特許文献１には、通常のストロボ装置としての機能とリングストロボとしての機能とを兼ね備えたポップアップ型の内蔵ストロボを有するカメラ装置１０１が記載されている。図５は、それを示したものであり、カメラ本体１０２の上部には、発光部１０３が上下方向に出没可能に設けられる一方、カメラ本体１０２の正面には撮影レンズ１０４の外周を囲むリング形状の拡散手段１０５が設けられている。拡散手段１０５は、表面側に位置するリング形状の拡散板１０６と、裏面側に位置する透明な合成樹脂からなる導光部材１０７とからなり、導光部材１０７の一部に、カメラ本体１０２に収容された非露出状態の発光部１０３が発する光を導入する導光部１０８が設けられている。なお、導光部材１０７の周囲には、発光部１０３及び拡散板１０６との対向面を除いて、発光部１０３が発する光を効率的に拡散板１０６に導くための反射板１０９が設けられている。
【０００４】
そして、上記カメラ装置１０１によれば、撮影時における被写体距離に応じて、発光部１０３をアクチュエータによって露出状態（図で二点鎖線で示した状態）にポップアップしたり、非露出状態（図示した状態）に収容したりすることにより、異なる種類のストロボ光の発光が可能となる。すなわち被写体が比較的遠いときには、発光部１０３を露出状態で発光させることにより通常のストロボ光を発光させる一方、被写体が近接しているときには、発光部１０３を非露出状態のままで発光させ、発光部１０３を光源としてリング形状の拡散板１０６を発光させることにより、近接する被写体に対してストロボ光を均質に照射することができる。
【特許文献１】特開２００２−１３１８０９号公報
【発明の開示】
【発明が解決しようとする課題】
【０００５】
しかしながら、上述したカメラ装置においては、通常のストロボ装置としての機能とリングストロボとしての機能とを兼ね備えた内蔵ストロボの使用に際して、撮影時の被写体距離に基づき使用するストロボ光の種類を自動的に設定することができるものの、被写体は多様であるため、常に適したストロボ光の種類を被写体距離に基づき一義的に判断することは困難である。したがって、ストロボ撮影に際して必ずしもユーザーが意図したストロボ光の種類が設定されるとは限らず、ユーザーの意図するストロボ撮影ができない場合が生じるという問題があった。
【０００６】
本発明は、かかる従来の課題に鑑みてなされたものであり、質の異なるストロボ光を選択的に発光可能な構成において、ユーザーの意図が反映されたストロボ撮影が可能となるカメラ装置、及びストロボ制御方法と、その実現に使用されるプログラムを提供することを目的とする。
【課題を解決するための手段】
【０００７】
前記課題を解決するため請求項１の発明にあっては、カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段とを備えたカメラ装置において、マクロモードであるか否かを判断する判断手段と、使用者が前記拡散手段の使用の可否を設定する設定手段と、ストロボ光の発光時における前記ストロボ発光部の状態を、前記判断手段によるマクロモードであるか否かの判断結果、及び前記設定手段により設定されている拡散手段の使用の可否に基づき決定する決定手段と、前記決定手段により決定された状態で前記ストロボ発光部を発光させる制御手段とを備えたものとした。
【０００８】
かかる構成においては、ストロボ発光部が収容状態または露出状態のいずれかの状態に駆動されることにより、ストロボ撮影時には質の異なるストロボ光が選択的に発光され、そのときのストロボ発光部の状態が、マクロモードであるか否かの判断結果のみならず、使用者によって設定された拡散手段の使用の可否に基づき決定される。
【０００９】
また、請求項２の発明にあっては、撮影モードを設定する撮影モード設定手段を備え、前記判断手段は、前記撮影モード設定手段により設定された撮影モードが、所定距離よりも近い距離の被写体の撮影を目的として設けられているマクロモードであるか否かを判断するものとした。
【００１０】
かかる構成においては、ストロボ撮影時のストロボ発光部の状態が、所定距離よりも近い距離の被写体の撮影を目的として設けられているマクロモードであるか否かの判断結果のみならず、使用者によって設定された拡散手段の使用の可否に基づき決定される。
【００１１】
また、請求項３の発明にあっては、被写体距離を取得する取得手段を備え、前記判断手段は、前記取得手段により取得された被写体距離が所定距離以下である場合にマクロモードであると判断するものとした。
【００１２】
かかる構成においては、ストロボ撮影時におけるストロボ発光部の状態が、被写体距離が所定距離よりも近い距離であるか否かの判断結果のみならず、使用者によって設定された撮影モードがマクロモードであるか否かに基づき決定される。
【００１３】
また、請求項４の発明にあっては、前記決定手段は、前記判断手段によりマクロモードであると判断され、かつ前記設定手段により拡散手段の使用が可能に設定されているとき、ストロボ光の発光時における前記ストロボ発光部の状態を収容状態と決定するものとした。
【００１４】
かかる構成においては、使用者によって拡散手段の使用が可能に設定されていれば、マクロモードであると判断されたときには、ストロボ発光部を自動的に収容状態として拡散手段によるストロボ光を発光させることができる。
【００１５】
また、請求項５の発明にあっては、前記決定手段は、前記判断手段によりマクロモードであると判断され、かつ前記設定手段により拡散手段の使用が不可に設定されているとき、ストロボ光の発光時における前記ストロボ発光部の状態を露出状態と決定するものとした。
【００１６】
かかる構成においては、使用者によって拡散手段の使用が不可に設定されていれば、マクロモードであると判断されたときであっても、ストロボ発光部を自動的に露出状態として通常のストロボ光を発光させることができる。
【００１７】
また、請求項６の発明にあっては、前記決定手段は、前記設定手段により設定されている拡散手段の使用の可否に関わりなく、前記判断手段によりマクロモードでないと判断されたときには、ストロボ光の発光時における前記ストロボ発光部の状態を露出状態と決定するものとした。
【００１８】
かかる構成においては、使用者による拡散手段の使用の可否に関わりなく、マクロモードであると判断されたときには、ストロボ発光部を自動的に露出状態として通常のストロボ光を発光させることができる。
【００１９】
また、請求項７の発明にあっては、撮影操作、及びその撮影操作に先立つ撮影予備操作が可能な操作手段を備え、前記決定手段は、前記操作手段による撮影予備操作に応じ、ストロボ光の発光時における前記ストロボ発光部の状態を決定し、前記制御手段は、前記操作手段による撮影操作に応じ、前記ストロボ発光部を前記決定手段により決定された状態で発光させるものとした。
【００２０】
かかる構成においては、撮影操作に先立つ撮影予備操作があった時点で、ストロボ発光部が収容状態または露出状態に駆動される。
【００２１】
また、請求項８の発明にあっては、前記ストロボ発光部における、前記露出状態でのストロボ光の発光量と、前記収納状態でのストロボ光の発光量とを互いに異なる発光量に制御する発光量制御手段を備えたものとした。
【００２２】
かかる構成においては、ストロボ撮影時に、質が異なるだけでなく発光量の異なるストロボ光を選択的に発光させることができる。
【００２３】
また、請求項９の発明にあっては、カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段と、前記ストロボ発光部を前記いずれかの状態に駆動する駆動手段とを備えたカメラ装置におけるストロボ制御方法であって、マクロモードであるか否かを判断する工程と、ストロボ光の発光時における前記ストロボ発光部の状態を、マクロモードであるか否かの判断結果、及び使用者によって設定されている前記拡散手段の使用の可否に基づき決定する工程と、決定した状態で前記ストロボ発光部を発光させる工程とを含む方法とした。
【００２４】
かかる方法によれば、ストロボ発光部が収容状態または露出状態のいずれかの状態に駆動されることにより、ストロボ撮影時には質の異なるストロボ光が選択的に発光され、そのときのストロボ発光部の状態が、マクロモードであるか否かの判断結果のみならず、使用者によって設定された拡散手段の使用の可否に基づき決定される。
【００２５】
また、請求項１０の発明にあっては、カメラ本体に収容された収容状態と外部に露出する露出状態とのいずれかの状態に駆動可能に設けられたストロボ発光部と、このストロボ発光部が収容状態にあるとき発したストロボ光を被写体に向けて拡散する拡散手段と、前記ストロボ発光部を前記いずれかの状態に駆動する駆動手段とを備えたカメラ装置が有するコンピュータを、マクロモードであるか否かを判断する判断手段と、ストロボ光の発光時における前記ストロボ発光部の状態を、前記判断手段によるマクロモードであるか否かの判断結果、及び前記設定手段により設定されている拡散手段の使用の可否に基づき決定する決定手段と、前記決定手段により決定された状態で前記ストロボ発光部を発光させる制御手段として機能させるためのプログラムとした。
【発明の効果】
【００２６】
以上のように請求項１，９の発明においては、ストロボ撮影時におけるストロボ発光部の状態が、マクロモードであるか否かの判断結果のみならず、使用者によって設定された拡散手段の使用の可否に基づき決定されるようにした。よって、質の異なるストロボ光を選択的に発光可能な構成において、ユーザーの意図が反映されたストロボ撮影が可能となる。
【００２７】
また、請求項２の発明においては、ストロボ撮影時のストロボ発光部の状態が、所定距離よりも近い距離の被写体の撮影を目的として設けられているマクロモードであるか否かの判断結果のみならず、使用者によって設定された拡散手段の使用の可否に基づき決定される。よって、質の異なるストロボ光を選択的に発光可能な構成において、ユーザーの意図が反映されたストロボ撮影が可能となる。
【００２８】
また、請求項３の発明においては、ストロボ撮影時におけるストロボ発光部の状態が、被写体距離が所定距離よりも近い距離であるか否かの判断結果のみならず、使用者によって設定された撮影モードがマクロモードであるか否かに基づき決定されるようにした。よって、質の異なるストロボ光を選択的に発光可能な構成において、ユーザーの意図が反映されたストロボ撮影が可能となる。
【００２９】
また、請求項４の発明においては、使用者によって拡散手段の使用が可能に設定されていれば、マクロモードであると判断されたときには、ストロボ発光部を自動的に収容状態として拡散手段によるストロボ光を発光させることができる。
【００３０】
また、請求項５の発明においては、使用者によって拡散手段の使用が不可に設定されていれば、マクロモードであると判断されたときであっても、ストロボ発光部を自動的に露出状態として通常のストロボ光を発光させることができる。
【００３１】
また、請求項６の発明においては、使用者による拡散手段の使用の可否に関わりなく、マクロモードであると判断されたときには、ストロボ発光部を自動的に露出状態として通常のストロボ光を発光させることができる。
【００３２】
また、請求項７の発明においては、撮影操作に先立つ撮影予備操作があった時点で、ストロボ発光部が収容状態または露出状態に駆動されるようにした。よって、撮影操作があった時点でタイムラグを生じさせることなくストロボ撮影を行うことが可能となる。
【００３３】
また、請求項８の発明においては、ストロボ撮影時に、質が異なるだけでなく発光量の異なるストロボ光を選択的に発光させることができる。
【発明を実施するための最良の形態】
【００３４】
以下、本発明の一実施の形態を図にしたがって説明する。図１（ａ）、同図（ｂ）は、通常のストロボ装置としての機能とリングストロボとしての機能とを兼ね備えたポップアップ型の内蔵ストロボを備えたデジタルカメラ１を示す外観斜視図である。
【００３５】
本実施の形態におけるデジタルカメラ１は、カメラ本体２の前面側に、撮影レンズ３やフォーカスレンズ等の光学系を収容する鏡筒部２ａが設けられ、鏡筒部２ａに、発光管が収納された内蔵ストロボの発光部４（ストロボ発光部）が、図１（ａ）に示した収容状態と同図（ｂ）に示したポップアップ状態（露出状態）とに出没可能に設けられた構成である。
【００３６】
鏡筒部２ａの前面には、撮影レンズ３の外周を囲む拡散手段１０５が設けられている。拡散手段１０５は、先に背景技術で説明したカメラ装置１０１に設けられているものと同様であって、表面に露出するリング形状の拡散板１０６と、収容状態にあるときの前記発光部４の発した光を拡散板１０６に導くため鏡筒部２ａ内に設けられている図示しない導光部材とから構成されている。（図５参照）。また、カメラ本体２の上面にはシャッターキー５が配置されている。
【００３７】
図２は、デジタルカメラ１の電気的構成の概略を示すブロック図である。デジタルカメラ１は、撮像素子であるＣＣＤ１１により被写体を撮像し、撮像により取得した被写体画像をカメラ本体２の背面側に配置され、電子ビューファインダとして機能するＬＣＤ（液晶表示装置）１２に表示させるとともに、撮影操作に応じて、撮像した被写体画像を画像データに変換し画像メモリ１３に記録する構成である。なお、画像メモリ１３は、カメラ本体２に内蔵又は着脱自在なフラッシュメモリ等の不揮発性メモリである。
【００３８】
ＣＣＤ１１は、前記撮影レンズ３等の光学系を介して結像された被写体の光学像を光電変換し、被写体の光学像に応じたアナログの撮像信号を出力する。ＣＣＤ１１から出力されたアナログの撮像信号は、信号処理部１４において各種の信号処理を施されて、最終的には輝度信号（Ｙ信号）と色差信号（Ｃｂ信号、Ｃｒ信号）を含んだＹＵＶデータ、すなわちデジタルの画像信号として出力される。
【００３９】
信号処理部１４から出力された画像信号は、撮影待機状態にあるとき前記ＬＣＤ１２に送られて被写体画像として表示される。また、前記シャッターキー５が全押しされた撮影操作時には、ＣＰＵ１５によりＪＰＥＧ等の所定フォーマットに従い圧縮され画像メモリ１３に記録される。画像メモリ１３に記録された圧縮後の画像データは、必要に応じＣＰＵ１５によって読み出され、いったん伸張された後ＬＣＤ１２において静止画像、或いは動画像として再生表示される。
【００４０】
また、デジタルカメラ１は、前記ＣＰＵ１５に、上記画像データの圧縮・伸張、及び装置全体の制御、及びＡＥ（自動露出）、ＡＦ（オートフォーカス）に関する制御を行わせるための各種のプログラムが記録されたプログラムメモリ１６と、ＣＰＵ１５の作業用メモリ等として使用されるＲＡＭ１７、キー入力部１８、レンズ駆動部１９、ストロボ駆動部２０、ストロボ回路２１を有している。なお、ＡＦ制御はコントラスト検出方式による制御である。また、ＣＰＵ１５は上記プログラムに従い動作することにより、本発明の設定手段、決定手段、制御手段、撮影モード設定手段として機能する。
【００４１】
前記プログラムメモリ１６はＥＥＰＲＯＭやフラッシュメモリ等の書き換え可能な不揮発性メモリであり、プログラムメモリ１６には、上記プログラムやデータ以外にも、ユーザーにより設定されたシステムや各機能に関する設定データ、例えば後述するストロボモード、リングストロボの使用モード、フォーカスモード等の設定データが随時記憶される。
【００４２】
キー入力部１８は、前記シャッターキー５や、図示しないカメラ本体２の背面側に配置された電源キー、記録（ＲＥＣ）モードと再生（ＰＬＡＹ）モードとを切り替えるモード切替キー、各種の設定に際して設定内容の選択や変更を使用する方向キー及びセットキーからなるメニューキー等を含み、使用者によるキー操作に応じたキー入力信号をＣＰＵ１５に出力する。前記シャッターキー５は、半押し操作（撮影予備操作）と全押し操作（撮影操作）との２段階の操作が可能な所謂ハーフシャッター機能を有したものであって、本発明の操作手段である。レンズ駆動部１９は、カメラ本体２の前記鏡筒部２ａ内に配置されているフォーカスレンズを含むレンズ群を光軸方向に駆動するレンズモータや、それを制御するためのドライバー等から構成され、ＡＦ（オートフォーカス）制御時にＣＰＵ１５から送られる指令に基づきレンズ位置を変化させる。
【００４３】
ストロボ駆動部２０は、前記発光部４を前述した収容状態とポップアップ状態とに駆動するため鏡筒部２ａ内に設けられている駆動機構のアクチュエータであるソレノイドや、それを制御するためのドライバー等から構成され、ＣＰＵ１５から送られる指令に基づき発光部４を鏡筒部２ａにおいて出没させる。ストロボ回路２１は、発光部４に収容されている発光管（キセノン管）と、発光管の発光用の電荷を保持しておくためのメインコンデンサ、それを充電するための充電回路、発光管の発光量を調節する調光回路等を含み、ＣＰＵ１５から送られる指令に基づき必要に応じ発光管（発光部４）を発光させ、その際の発光量をＣＰＵ９により制御される。なお、本実施の形態においては、前記ストロボ駆動部２０及びストロボ回路２１によって所謂内蔵ストロボが構成されている。
【００４４】
図３は、デジタルカメラ１においてユーザーにより機能設定モードが選択されたとき、ＣＰＵ１５が実行する処理内容を示すフローチャートである。なお、機能設定モードはユーザーが必要に応じて前記メニューキーを操作することによって、記録モード及び再生モードによる動作中を含む任意の時点で選択可能なモードである。
【００４５】
係るモードが選択されるとＣＰＵ１５は、設定可能な機能項目をユーザーに選択させるための機能選択画像をＬＣＤ１２に表示させる（ステップＳＡ１）。そして、ユーザーのキー操作により機能選択画像から「ストロボモード」が選択されたときには（ステップＳＡ２でＹＥＳ）、ユーザーの選択操作に応じて「オート発光」、「発光禁止」、「強制発光」のいずれかのモードを設定する（ステップＳＡ３）。なお、係るストロボモードはごく一般的なものであり、オート発光モードは被写体が暗い場合に自動的にストロボ光を発光させるモード、発光禁止モードはストロボ光の使用を禁止するモード、強制発光モードは被写体の明るさに関係なく撮影に際して常にストロボ光を使用するモードである。
【００４６】
また、機能選択画像から「リングストロボ使用モード」が選択されたときには（ステップＳＡ４でＹＥＳ）、ユーザーの選択操作に応じてリングストロボの使用の可否（「ＯＮ」又は「ＯＦＦ」）を設定する（ステップＳＡ５）。また、機能選択画像から「フォーカスモード」が選択されたときには（ステップＳＡ６でＹＥＳ）、ユーザーの選択操作に応じて「オート」、「マクロ」、「無限遠」のモードのいずれかのモードを設定する（ステップＳＡ７）。なお、マクロモードは、ＡＦ機能による自動調整可能な合焦距離範囲を近接する距離範囲（例えば５ｃｍ〜５０ｃｍ）に規制するモード、同様に無限遠モードは合焦距離範囲を遠距離（例えば数ｍ〜無限遠）に規制するモードである。
【００４７】
以後、機能選択画像から「設定終了」が選択されるまで前述した処理を繰り返し、「設定終了」が選択されたら（ステップＳＡ８でＹＥＳ）、前述した各機能項目の設定内容をプログラムメモリ１６に保存し（ステップＳＡ９）、処理を終了する。
【００４８】
図４は、デジタルカメラ１における記録モード（撮影モード）が選択されている間にＣＰＵ１５が実施する、主として本発明に係る処理手順を示すフローチャートである。
【００４９】
ＣＰＵ１５は、記録モードが選択されると直ちにＣＣＤ１１による被写体の撮像及び、ＬＣＤ１２におけるスルー画像表示を開始する（ステップＳＢ１）。なお、スルー画像を表示している間にはＡＥ制御、ＡＦ制御が行われる。その後、シャッターキー５が半押しされたら（ステップＳＢ２でＹＥＳ）、先ずストロボモードの設定を確認する（ステップＳＢ３）。ここで発光禁止モードが設定されていたときには、内蔵ストロボの発光部４を図１（ａ）に示した収容状態としたままで（ステップＳＢ５）、シャッターキー５の全押し待ちを行う（ステップＳＢ６でＮＯ）。そして、シャッターキー５が全押しされた時点で（ステップＳＢ６でＹＥＳ）、撮影及び記録処理を行い被写体画像を画像メモリ１３に保存し（ステップＳＢ１５）、ステップＳＢ１へ戻る。
【００５０】
また、ステップＳＢ３で確認したストロボモードがオート発光モードであったときには、引き続き、その時点で露出不足が生じているか否かを確認する（ステップＳＢ４）。そして、露出不足でなければストロボ発光が不要であると判断し（ステップＳＢ４でＮＯ）、上記と同様に発光部４を収容状態としたままで（ステップＳＢ５）、シャッターキー５の全押し待ちを行い（ステップＳＢ６でＮＯ）、シャッターキー５が全押しされた時点で（ステップＳＢ６でＹＥＳ）、撮影及び記録処理を行い被写体画像を画像メモリ１３に保存し（ステップＳＢ１５）、ステップＳＢ１へ戻る。
【００５１】
また、ステップＳＢ３で確認したストロボモードが強制発光モードであったとき、及びストロボモードがオート発光モードで、かつ露出不足が生じているときには（ステップＳＢ４でＹＥＳ）、さらにフォーカスモードの設定を確認する（ステップＳＢ７）。ここで、フォーカスモードがマクロモード以外であったときには、内蔵ストロボの発光部４を図１（ｂ）に示したポップアップ状態に駆動した後（ステップＳＢ９）、シャッターキー５の全押し待ちを行う（ステップＳＢ１０でＮＯ）。そして、シャッターキー５が全押しされた時点で（ステップＳＢ１０でＹＥＳ）、発光量を予め決められている第１の発光量に調整してストロボ発光を行うとともに（ステップＳＢ１１）、撮影及び記録処理を行って被写体画像を画像メモリ１３に保存する（ステップＳＢ１５）。つまり内蔵ストロボを通常のストロボ装置として機能させた状態でのストロボ撮影を行い、ステップＳＢ１へ戻る。
【００５２】
また、ステップＳＢ７で確認したフォーカスモードがマクロモードであったときには、さらにリングストロボの設定を確認し、それが「オン」（使用可）であった場合には、内蔵ストロボの発光部４を図１（ａ）に示した収容状態としたままで（ステップＳＢ１２）、シャッターキー５の全押し待ちを行う（ステップＳＢ１３でＮＯ）。そして、シャッターキー５が全押しされた時点で（ステップＳＢ１３でＹＥＳ）、発光量を前述した第１の発光よりも少ない第２の発光量に調整してストロボ発光を行い（ステップＳＢ１４）、撮影及び記録処理を行って被写体画像を画像メモリ１３に保存する（ステップＳＢ１５）。つまり内蔵ストロボをリングストロボとして機能させた状態でのストロボ撮影を行う。これにより、被写体が極近接する場合であっても、画像の白とびを抑えつつ、被写体に対してストロボ光を均一に照射したストロボ撮影を行うことができる。
【００５３】
これに対し、ステップＳＢ７で確認したフォーカスモードがマクロモードであっても、ステップＳＢ８で確認したリングストロボの設定が「オフ」（使用不可）であった場合には、フォーカスモードとしてマクロモード以外のモードが設定されている場合と同様の処理を行う。すなわち発光部４をポップアップ状態に駆動するとともに（ステップＳＢ９）、シャッターキー５が全押しされた時点で（ステップＳＢ１０でＹＥＳ）、第１の発光量でのストロボ発光を行うとともに（ステップＳＢ１１）、撮影及び記録処理を行って被写体画像を画像メモリ１３に保存し（ステップＳＢ１５）、ステップＳＢ１へ戻る。
【００５４】
これにより、マクロモードを使用する程度に近接した被写体を撮影する場合であっても、例えば被写体距離がマクロモードで対応する距離範囲で比較的遠い距離（例えば４０ｃｍ）であるような場合には、事前にリングストロボの使用を「オフ」に設定しておくことにより、内蔵ストロボを通常のストロボ装置として機能させた状態でのストロボ撮影を行うことができる。
【００５５】
以上のように本実施の形態によれば、ユーザーは、撮影に先立ち自己の判断に基づいて予めリングストロボの使用の可否を予め設定しておくことにより、常に自分の意図が反映されたストロボ撮影を行うことができる。さらに、シャッターキー５が半押しされた時点で、撮影時における発光部４の状態を決定し、予め発光部４を収容状態またはポップアップ状態に駆動するため、シャッターキー５が全押しされた時点でタイムラグを生じさせることなくストロボ撮影を行うことができる。
【００５６】
また、発光部４における発光量を、発光部４を収容状態としたときには、それをポップアップ状態としたときよりも少ない量としたことから、被写体が極近接する場合における画像の白とびを確実に抑えることができる。なお、上記発光部４における発光量の違いは拡散手段１０５の質（光の拡散性能や発光部４の発する光の導光性能等）によって適宜設定しておけばよく、また、場合によっては収容状態としたときの発光部４の発光量を、ポップアップ状態としたときよりも大きな量としてもよい。また、本実施の形態においては上記発光量の違いを固定としたが、例えば光センサにより被写体の反射光量を検出し、その検出結果に基づき発光部４を収容状態としたときのストロボ光量を低下させるようにしてもよい。
【００５７】
さらに、本実施の形態とは異なり、前述したステップＳＢ９における撮影時のストロボ発光（本発光）に先立ち、例えば撮影直前の正確な露出量の取得を目的として事前発光を行う構成においては、事前発光時における発光部４の発光量を収容状態としたときとポップアップ状態としたときで異ならせ、かつ本発光時には同一としたり、逆に事前発光時における発光量を同一としかつ本発光時に異ならせるようにしてもよい。
【００５８】
また、本実施の形態においては、ストロボ撮影時における発光部４の状態を決定する際、フォーカスモードがマクロモードに設定されているか否かを判断したが、その判断を、シャッターキー５が半押しされた時点で取得した被写体距離が予め決められている閾値（所定の被写体距離）よりも近いか否かの判断に代えてもよい。その場合であっても本実施の形態と同様の効果を得ることができる。また、その際、被写体距離は、シャッターキー５が半押しされた時点でＡＦ制御によって移動したフォーカスレンズの位置等に基づいて算出すればよい。
【００５９】
また、本実施の形態においては、内蔵ストロボの発光部４がカメラ本体２の鏡筒部２ａに出没可能に設けられたものを示したが、発光部４はカメラ本体２の他の箇所、例えば先に背景技術で説明したカメラ装置１０１のようにカメラ本体２の上部に設けられていても構わない。また、本発明をデジタルカメラに採用した場合について説明したが、本発明は、質の異なるストロボ光を選択的に発光可能な構成を備えたものであれば、銀塩カメラにも採用することができる。
【図面の簡単な説明】
【００６０】
【図１】本発明に係るデジタルカメラを示す外観斜視図であって、（ａ）は内蔵ストロボの収容状態、（ｂ）は内蔵ストロボのポップアップ状態を示す図である。
【図２】同デジタルカメラの電気的構成の概略を示すブロック図である。
【図３】機能設定モードでの動作内容を示すフローチャートである。
【図４】撮影モードでの動作内容を示すフローチャートである。
【図５】従来のポップアップ型の内蔵ストロボの構造を示すカメラ装置の部分断面図である。
【符号の説明】
【００６１】
１    デジタルカメラ
２    カメラ本体
２ａ    鏡筒部
３    撮影レンズ
４    発光部
５    シャッターキー
１１    ＣＣＤ
１５    ＣＰＵ
１６    プログラムメモリ
１８    キー入力部
１９    レンズ駆動部
２０    ストロボ駆動部
２１    ストロボ回路
１０５    拡散手段
１０６    拡散板
【図１】
2006084599.tif 000003
【図２】
2006084599.tif 000004
【図３】
2006084599.tif 000005
【図４】
2006084599.tif 000006
【図５】
2006084599.tif 000007